(57)【要約】【課題】有機ＥＬパネルの電食耐久性を良好とする有機ＥＬパネル用駆動装置及び表示装置を提供する。【解決手段】有機ＥＬパネル１０を駆動する有機ＥＬパネル用駆動装置５０である。有機ＥＬパネル用駆動装置５０は、走査ラインＳ１〜Ｓｍのうち少なくとも１つをグランドに接続しつつ、複数のドライブラインＤ１〜Ｄｎのうち点灯させる画素Ｅ１１〜Ｅｍｎに対応するドライブラインＤ１〜Ｄｎに電流を供給することで前記電流が供給される画素Ｅ１１〜Ｅｍｎを点灯させる点灯処理を行い、かつ、少なくとも前記点灯処理中に、複数のドライブラインＤ１〜Ｄｎのうち非点灯とする画素Ｅ１１〜Ｅｍｎに対応するドライブラインＤ１〜Ｄｎに、画素Ｅ１１〜Ｅｍｎの発光開始電圧に至らない電位が印加される期間だけ前記電流を供給する電食対策処理を行う。【選択図】図２
2018091981.tif 000002
【特許請求の範囲】
【請求項１】
有機ＥＬパネルを駆動する有機ＥＬパネル用駆動装置であって、
前記有機ＥＬパネルは、
陽極と陰極とで少なくも有機発光層を挟持してなる複数の有機ＥＬ素子と、
前記陽極と接続される複数の陽極配線部と、
前記陰極と接続される１つ以上の陰極配線部と、
を備え、
前記有機ＥＬパネル用駆動装置は、
前記陰極配線部のうち少なくとも１つをグランドに接続しつつ、前記複数の陽極配線部のうち点灯させる前記有機ＥＬ素子に対応する前記陽極配線部に電流を供給することで前記電流が供給される前記有機ＥＬ素子を点灯させる点灯処理を行い、かつ、
少なくとも前記点灯処理中に前記複数の陽極配線部のうち非点灯とする前記有機ＥＬ素子に対応する前記陽極配線部に、前記有機ＥＬ素子の発光開始電圧に至らない電位が印加される期間だけ前記電流を供給する電食対策処理を行う、
ことを特徴とする有機ＥＬパネル用駆動装置。
【請求項２】
前記点灯処理及び前記電食対策処理においては、前記陽極配線部を定電流源に接続する、
ことを特徴とする請求項１に記載の有機ＥＬパネル用駆動装置。
【請求項３】
前記点灯処理の前に、前記点灯処理において点灯させる前記有機ＥＬ素子に係る前記陽極配線部及び前記陰極配線部にプリチャージ電圧を印加するプリチャージ処理を行う、
ことを特徴とする請求項１又は２に記載の有機ＥＬパネル用駆動装置。
【請求項４】
請求項１から３の何れか１項に記載の有機ＥＬパネル用駆動装置と、
前記有機ＥＬパネルと、を備える、
ことを特徴とする有機ＥＬ装置。
【発明の詳細な説明】
【技術分野】
【０００１】
本発明は、有機ＥＬパネル用駆動装置及び有機ＥＬ装置に関する。
【背景技術】
【０００２】
従来から、例えば、特許文献１に開示されるように、ドットマトリクス型で、かつパッシブ駆動方式にて駆動される有機ＥＬ（Electroluminescence）パネルが知られている。この種の有機ＥＬパネル１００は、例えば、図８及び図９に示すように、複数のドライブラインＤ１〜Ｄｎと、ドライブラインＤ１〜Ｄｎに直交する複数の走査ラインＳ１〜Ｓ３と、ドライブラインＤ１〜Ｄｎ及び走査ラインＳ１〜Ｓｍの交差箇所に接続される複数の有機ＥＬ素子である画素Ｅ１１〜Ｅｍｎと、を備える。有機ＥＬパネル１００は駆動装置１１０により駆動される。なお、ｍ及びｎは任意の自然数である。
【０００３】
駆動装置１１０は、走査ラインＳ１〜Ｓｍを順にグランドに接続する。具体的には、図８に示すように、駆動装置１１０は、走査ラインＳ２をグランドに接続した状態で、例えば、ドライブラインＤ１〜Ｄｎを定電流源ＣＣＳ（Constant  Current  Source）に接続する。これにより、定電流源ＣＣＳから走査ラインＳ２に沿う画素Ｅ２１〜Ｅ２ｎに電流が供給されるため、画素Ｅ２１〜Ｅ２ｎが点灯する。その後、駆動装置１１０は、所望の発光輝度とするために所定のタイミングで画素Ｅ１１〜Ｅｍｎにチャージされた電荷を放出する放電を行う（ＰＷＭ（Pulse  Width  Modulation）制御）。具体的には、駆動装置１１０は、図９に示すように、放電を行う際、ドライブラインＤ１〜Ｄｎ及び走査ラインＳ２をそれぞれグランドに接続する。これにより、各画素Ｅ１１〜Ｅｍｎにチャージされた電荷がグランドに放電される。
【先行技術文献】
【特許文献】
【０００４】
【特許文献１】特開２００９−２４４９０６号公報
【発明の概要】
【発明が解決しようとする課題】
【０００５】
有機ＥＬパネルは、近年高輝度化によって駆動電流値が上がり、さらに大型化によって配線の引き回し長さが長くなることで配線抵抗が上がっている。その結果、画素（有機ＥＬ素子）の点灯時における駆動波高値（電圧値）が高くなっている。このような高輝度大型パネルは高温高湿度環境下で点灯を継続すると、点灯のパターンによっては電食が早く進行し、断線による通電不良が生じる。したがって、有機ＥＬパネルにおける電食耐久性につき向上の余地がある。
【０００６】
本発明は、この問題に鑑みなされたものであり、有機ＥＬパネルの電食耐久性を良好とする有機ＥＬパネル用駆動装置及び有機ＥＬ装置を提供することを目的とする。
【課題を解決するための手段】
【０００７】
上記目的を達成するため、本発明の第１の観点に係る有機ＥＬパネル用駆動装置は、
有機ＥＬパネルを駆動する有機ＥＬパネル用駆動装置であって、
前記有機ＥＬパネルは、
陽極と陰極とで少なくも有機発光層を挟持してなる複数の有機ＥＬ素子と、
前記陽極と接続される複数の陽極配線部と、
前記陰極と接続される１つ以上の陰極配線部と、
を備え、
前記有機ＥＬパネル用駆動装置は、
前記陰極配線部のうち少なくとも１つをグランドに接続しつつ、前記複数の陽極配線部のうち点灯させる前記有機ＥＬ素子に対応する前記陽極配線部に電流を供給することで前記電流が供給される前記有機ＥＬ素子を点灯させる点灯処理を行い、かつ、
少なくとも前記点灯処理中に、前記複数の陽極配線部のうち非点灯とする前記有機ＥＬ素子に対応する前記陽極配線部に前記有機ＥＬ素子の発光開始電圧に至らない電位が印加される期間だけ前記電流を供給する電食対策処理を行う、
ことを特徴とする。
【０００８】
上記目的を達成するため、本発明の第２の観点に係る表示装置は、上記有機ＥＬパネル用駆動装置と、前記有機ＥＬパネルと、を備える。
【発明の効果】
【０００９】
本発明によれば、有機ＥＬパネルの電食耐久性を良好とすることができる。
【図面の簡単な説明】
【００１０】
【図１】本発明の一実施形態に係るプリチャージ期間における有機ＥＬ装置を示した回路図である。
【図２】本発明の一実施形態に係る点灯期間における有機ＥＬ装置を示した回路図である。
【図３】本発明の一実施形態に係る放電時における有機ＥＬ装置を示した回路図である。
【図４】本発明の一実施形態に係る表示コントローラの制御手順を示したフローチャートである。
【図５】本発明の一実施形態に係る（ａ）は発光パターンの例、（ｂ）〜（ｅ）は（ａ）の発光パターンにおいてドライブライン及び走査ラインに印加される電圧を示すグラフである。
【図６】背景技術に係る点灯期間における有機ＥＬ装置を示した回路図である。
【図７】背景技術に係る放電時における有機ＥＬ装置を示した回路図である。
【図８】背景技術に係る（ａ）は発光パターンの例、（ｂ）〜（ｅ）は（ａ）の発光パターンにおいてドライブライン及び走査ラインに印加される電圧を示すグラフである。
【発明を実施するための形態】
【００１１】
本発明に係る有機ＥＬパネル用駆動装置及び有機ＥＬ装置の一実施形態について、図面を参照して説明する。
【００１２】
図１に示すように、有機ＥＬ装置１は、有機ＥＬパネル１０と、有機ＥＬパネル用駆動装置５０と、を備える。有機ＥＬ装置１は、表示装置として機能する。
有機ＥＬパネル１０は、ドットマトリクス型で、かつパッシブ駆動方式により駆動される。有機ＥＬパネル１０は、ｍ行ｎ列のマトリクス状に配置される複数の有機ＥＬ素子からなる画素Ｅ１１〜Ｅｍｎと、複数の走査ラインＳ１〜Ｓｍ（陰極配線部の一例）と、複数のドライブラインＤ１〜Ｄｎ（陽極配線部の一例）と、を備える。ｍ及びｎは任意の自然数である。
【００１３】
走査ラインＳ１〜Ｓｍは、アルミニウム等の金属蒸着膜からなる。また、走査ラインＳ１〜Ｓｍは、本例では、横方向に延び、かつ縦方向に配列される。ドライブラインＤ１〜Ｄｎは、ＩＴＯ（Indium  Tin  Oxide）等の導電性透明膜からなる。また、ドライブラインＤ１〜Ｄｎは、本例では、走査ラインＳ１〜Ｓｍに直交し、かつ横方向に配列される。画素Ｅ１１〜Ｅｍｎは、走査ラインＳ１〜ＳｍとドライブラインＤ１〜Ｄｎとの交差箇所に接続されている。各画素Ｅ１１〜Ｅｍｎは、陽極と陰極とで少なくとも有機発光層を挟持してなり、並列に接続されたダイオード成分及び寄生容量（コンデンサ）成分からなる等価回路で表される。本実施形態においては、ドライブラインＤ１〜Ｄｎは陽極と一体的に形成されており（陽極と接続されている）、走査ラインＳ１〜Ｓｍは陰極と一体的に形成されている（陰極と接続されている）。
【００１４】
有機ＥＬパネル用駆動装置５０は、コントロールドライバーＩＣ（Integrated Circuit）により構成される。具体的には、有機ＥＬパネル用駆動装置５０は、陰極駆動回路２０と、陽極駆動回路３０と、表示コントローラ４０と、を備える。
【００１５】
図１に示すように、陰極駆動回路２０は、陰極側非走査電圧Ｖｃと、複数（ｍ個）の走査スイッチ−ＳＷ１〜−ＳＷｍと、を備える。複数の走査スイッチ−ＳＷ１〜−ＳＷｍはそれぞれ走査ラインＳ１〜Ｓｍの端部に接続される。走査スイッチ−ＳＷ１〜−ＳＷｍは、走査ラインＳ１〜Ｓｍを陰極側非走査電圧Ｖｃ及びグランドＧＮＤの何れかに選択的に接続する。つまり、走査スイッチ−ＳＷ１〜−ＳＷｍの切り替えを通じて、走査対象となる走査ラインＳ１〜ＳｍはグランドＧＮＤに接続されるとともに、走査対象以外の走査ラインＳ１〜Ｓｍは陰極側非走査電圧Ｖｃに接続される。画素Ｅ１１〜Ｅｍｎは走査スイッチ−ＳＷ１〜−ＳＷｍを通じて陰極側非走査電圧Ｖｃに接続されることで、陰極側非走査電圧Ｖｃから画素Ｅ１１〜Ｅｍｎに逆バイアス方向に電圧が印加される。
【００１６】
図１に示すように、陽極駆動回路３０は、陽極側プリチャージ電圧源Ｖ１と、定電流源Ａ１〜Ａｎをドライブするための駆動電圧源Ｖ２と、複数（ｎ個）の定電流源Ａ１〜Ａｎと、複数（ｎ個）のドライブスイッチ＋ＳＷ１〜＋ＳＷｎと、を備える。駆動電圧源Ｖ２は、定電流源Ａ１〜Ａｎに電圧を印加する。各定電流源Ａ１〜Ａｎは、表示コントローラ４０による制御のもと、駆動電圧源Ｖ２からの電圧に基づき所望値の定電流を生成し、ドライブラインＤ１〜Ｄｎに供給する。複数のドライブスイッチ＋ＳＷ１〜＋ＳＷｎは、それぞれドライブラインＤ１〜Ｄｎの端部に接続される。各ドライブスイッチ＋ＳＷ１〜＋ＳＷｎは、表示コントローラ４０による制御のもと、対応するドライブラインＤ１〜Ｄｎを、陽極側プリチャージ電圧源Ｖ１、グランドＧＮＤ及び対応する定電流源Ａ１〜Ａｎの何れかに選択的に接続させる。このグランドＧＮＤは、陰極駆動回路２０及び陽極駆動回路３０において共通である。
【００１７】
表示コントローラ４０は、走査スイッチ−ＳＷ１〜−ＳＷｍ、ドライブスイッチ＋ＳＷ１〜＋ＳＷｎ及び定電流源Ａ１〜Ａｎを制御することで、画素Ｅ１１〜Ｅｍｎの点灯制御を行う。表示コントローラ４０は、外部から画像データを受けて、その画像データに応じた画像を表示するため画素Ｅ１１〜Ｅｍｎを所定の組み合わせ及び輝度にて点灯させる。この画像データは、各画素Ｅ１１〜Ｅｍｎの点灯の有無及び点灯させる画素Ｅ１１〜Ｅｍｎの輝度に係る情報を含む。
簡単に説明すると、表示コントローラ４０は、走査スイッチ−ＳＷ１〜−ＳＷｍを順に一時的に陰極側非走査電圧ＶｃからグランドＧＮＤに切り替えることで走査ラインＳ１〜Ｓｍを順に走査する。表示コントローラ４０は、走査ラインＳ１〜Ｓｍの何れかの走査時に、ドライブスイッチ＋ＳＷ１〜＋ＳＷｎを介して点灯させる画素Ｅ１１〜Ｅｍｎに対応するドライブラインＤ１〜Ｄｎを定電流源Ａ１〜Ａｎに接続する。これにより、走査対象である走査ラインＳ１〜Ｓｍに沿う画素Ｅ１１〜Ｅｍｎが所定の輝度にて点灯される。表示コントローラ４０の制御内容について以下に具体的に説明する。
【００１８】
（表示コントローラ４０の制御手順及び制御内容）
表示コントローラ４０の制御手順について、図４のフローチャートに沿って説明する。このフローチャートに係る処理は、図５（ａ）に示すように、走査ラインＳ１に沿う画素Ｅ１１〜Ｅ１ｎのうち画素Ｅ１１と画素Ｅ１３を点灯させるための処理である。このフローチャートに係る処理は、走査ラインＳ１〜Ｓｍの走査毎に繰り返し行われる。なお、このフローチャートにおいて、ステップＳＴ１はプリチャージ処理に相当し、ステップＳＴ２〜ＳＴ４は点灯処理及び電食対策処理に相当し、ステップＳＴ５は放電処理に相当する。なお、以下の説明においては、理解を容易とするために、走査ラインＳ１〜Ｓ３、ドライブラインＤ１〜Ｄ３、画素Ｅ１１〜Ｅ３３について説明し、その他の走査ライン、ドライブライン、画素については省略する。
【００１９】
まず、表示コントローラ４０は点灯させる画素Ｅ１１，Ｅ１３に対応するドライブラインＤ１，Ｄ３にプリチャージを行う（ステップＳＴ１）。具体的には、表示コントローラ４０は、プリチャージを行うにあたって、図１に示すように、ドライブスイッチ＋ＳＷ１〜＋ＳＷ３を介して点灯させる画素Ｅ１１，Ｅ１３に対応するドライブラインＤ１，Ｄ３を陽極側プリチャージ電圧源Ｖ１に接続するとともに非点灯とする画素Ｅ１２に対応するドライブラインＤ２をグランドＧＮＤに接続し、走査スイッチ−ＳＷ１〜−ＳＷ３を介して走査ラインＳ１〜Ｓ３を陰極側非走査電圧Ｖｃに接続する。これにより、図５（ｂ）〜（ｅ）に示すプリチャージ期間Ｔ１にわたって、ドライブラインＤ１，Ｄ３にプリチャージ電圧が印加され、ドライブラインＤ１に接続される各画素Ｅ１１〜Ｅ３１及びドライブラインＤ３に接続される各画素Ｅ１３〜Ｅ３３に電荷がチャージ（充電）される。一方、ドライブラインＤ２には逆バイアス方向に電圧が印加され、ドライブラインＤ２に接続される各画素Ｅ１２〜Ｅｍ２には電荷がチャージされない。
【００２０】
次に、図２及び図４に示すように、表示コントローラ４０は、走査スイッチ−ＳＷ１を介して走査ラインＳ１をグランドＧＮＤに接続する（ステップＳＴ２）。これにより、図５（ｅ）に示すように、走査ラインＳ１の電位が陰極側非走査電圧ＶｃからグランドＧＮＤまで低下する。走査ラインＳ１の電位は、図５（ｂ）〜（ｅ）に示す走査期間Ｔ２の間維持される。そして、表示コントローラ４０は、ドライブスイッチ＋ＳＷ１〜＋ＳＷ３を介して、全てのドライブラインＤ１〜Ｄ３を定電流源Ａ１〜Ａ３に接続する（ステップＳＴ３）。このとき、ステップＳＴ１でプリチャージが実行されたドライブラインＤ１，Ｄ３については、接続される画素Ｅ１１〜Ｅｍ１，Ｅ１３〜Ｅｍ３へのチャージが完了しており、ドライブラインＤ１，Ｄ３に印加される電圧が画素Ｅ１１，Ｅ１３の発光開始電圧Ｖｅの近傍まで上げられているため、発光画素Ｅ１１，Ｅ１３は定電流の供給開始に伴って遅滞なく点灯（発光）する。一方、ステップＳＴ１でプリチャージが実行されなかったドライブラインＤ２については、接続される画素Ｅ１２〜Ｅ３２へのチャージが完了しておらず、ドライブラインＤ２に印加される電圧は定電流の供給開始に伴って徐々に上がるものの、発光開始電圧Ｖｅに至らず画素Ｅ１２は点灯しない。これにより、走査期間Ｔ２において、画素Ｅ１１〜Ｅ１ｎは所望の組み合わせ及び輝度で点灯するとともに、非点灯となる画素Ｅ１２が接続されるドライブラインＤ２にも発光開始電圧Ｖｅ未満の所定の電位が印加される。
なお、表示コントローラ４０は、これらステップＳＴ２及びＳＴ３を同時に行ってもよいし、適宜異なる順番で行ってもよい。
【００２１】
そして、表示コントローラ４０は、画素Ｅ１１〜Ｅ３３への電流供給開始から所定の電流供給期間Ｔ３が経過するのを待つ（ステップＳＴ４でＮｏ）。表示コントローラ４０は、電流供給期間Ｔ３が経過した旨判断すると（ステップＳＴ４でＹｅｓ）、図３に示すように、ドライブスイッチ＋ＳＷ１〜＋ＳＷ３を介して全てのドライブラインＤ１〜Ｄ３をグランドＧＮＤに接続する（ステップＳＴ５）。これにより、図３の矢印で示すように、ドライブラインＤ１〜Ｄ３に沿う画素Ｅ１１〜Ｅ３３にチャージされた電荷がグランドＧＮＤに流れる（放電される）。このように、電流供給期間Ｔ３の長さ（幅）を調整することで画素Ｅ１１〜Ｅ３３の発光輝度を調整することができる（ＰＷＭ制御）。本例では、走査期間Ｔ２の全てにおいて定電流が供給されても（走査期間Ｔ２＝電流供給期間Ｔ３、ＰＷＭ１００％）、非点灯となる画素Ｅ１２に接続されるドライブラインＤ２に印加される電位が発光開始電圧Ｖｅに至らないように駆動電圧源Ｖ２の電圧が予め設定される。すなわち、本例では、非点灯となる画素Ｅ１２に接続されるドライブラインＤ２に定電流が供給される期間は電流供給期間Ｔ３であり、最長で走査期間Ｔ２に等しい。なお、走査期間Ｔ２のうちで非点灯となる画素Ｅ１２に接続されるドライブラインＤ２に定電流を供給する期間を別途定めてもよい。このようにして、走査期間Ｔ２において、走査ラインＳ１をグランドＧＮＤに接続しつつ（ステップＳＴ２）、ドライブラインＤ１〜Ｄｎのうち点灯させる画素Ｅ１１，Ｅ１３に対応するドライブラインＤ１，Ｄ３に定電流を供給することで定電流が供給される画素Ｅ１１，Ｅ１３を点灯させる点灯処理を行い（ステップＳＴ３，ＳＴ４）、かつ、点灯処理中に、ドライブラインＤ１〜Ｄｎのうち非点灯とする画素Ｅ１２に対応するドライブラインＤ２に、画素Ｅ１２の発光開始電圧Ｖｅに至らない電位が印加される期間だけ定電流を供給する電食対策処理が行われる（ステップＳＴ３，ＳＴ４）。
【００２２】
次に、本実施形態において、走査期間Ｔ２において非点灯である画素Ｅ１２が接続されるドライブラインＤ２にも画素Ｅ１２の発光開始電圧Ｖｅに至らない電位が印加される期間だけ定電流を供給することによる、作用及び効果について述べる。
【００２３】
図８は、従来の有機ＥＬパネル１００における（ａ）発光パターンの例と、（ｂ）〜（ｅ）ドライブラインＤ１〜Ｄ３、走査ラインＳ１に印加される電圧を示すグラフである。本願発明者は、鋭意検討した結果、ドライブラインとして複数の、特に３つ以上の隣り合う配線を有する有機ＥＬパネル１００において、発光パターンによって電食の進行が異なることを見いだした。すなわち、図８（ａ）に示すように、３つのドライブラインＤ１〜Ｄ３に接続される３つの画素Ｅ１１，Ｅ１２，Ｅ１３がそれぞれ点灯、非点灯、点灯となる発光パターンを継続して表示する場合に、接続される画素Ｅ１２が非点灯となるドライブラインＤ２において加速的に電食が進行する。特に、ドライブラインＤ２のうち外部に露出する部分、例えば、ＣＯＧ型パネルにおいては基板上のドライブラインＤ２のうち有機ＥＬパネル用駆動装置５０を構成するＩＣチップ（より正確には異方性導電材）の端辺から画素Ｅ１１〜Ｅｍｎを封止する封止部までの個所で電食の進行が顕著である。これは、画素Ｅ１２が非点灯となるドライブラインＤ２が、定電流が供給され、画素Ｅ１１，Ｅ１３が点灯したドライブラインＤ１，Ｄ３の電界（電位差）に挟まれることで、電食発生要因の１つである電界をより強い電位で受けることによるものと思われる。例えば、接続される画素Ｅ１２が非点灯となるときにドライブラインＤ２に印加される電位（以下、オフ電位ともいう）が０Ｖであり、接続される画素Ｅ１１，Ｅ１３が点灯したときにドライブラインＤ１，Ｄ３に印加される電位（以下、駆動電位ともいう）が８Ｖである場合を考える。この場合は、接続される画素Ｅ１１，Ｅ１３が点灯となったドライブラインＤ１，Ｄ３に挟まれ、かつ、接続される画素Ｅ１２が非点灯となるドライブラインＤ２は電位差８Ｖを受けることとなる（図８（ａ）参照）。
これに対し、本実施形態である有機ＥＬパネル用駆動装置５０は、走査期間Ｔ２において点灯処理中に非点灯となる画素Ｅ１２が接続されるドライブラインＤ２にも画素Ｅ１２の発光開始電圧Ｖｅに至らない電位が印加される期間（電流供給期間Ｔ３）だけ定電流を供給する。非点灯となる画素Ｅ１２に接続されるドライブラインＤ２に印加される電位は、発光開始電圧Ｖｅよりも小さく、画素Ｅ１２の誤点灯を防止するという観点によれば、オフ電位と駆動電位との間の中央の電位程度となることが望ましい。例えば、オフ電位が０Ｖであり、駆動電位が８Ｖであるときは、ドライブラインＤ２に印加される電位は発光開始電圧Ｖｅより小さく、４Ｖ程度であることが望ましい。印加される電位が４Ｖである場合は、図５（ａ）に示すように、ドライブラインＤ１〜Ｄｎのうち、接続される画素Ｅ１１，Ｅ１３が点灯となるドライブラインＤ１，Ｄ３に挟まれ、かつ、接続される画素Ｅ１２が非点灯となるドライブラインＤ２が受ける電位差は、４Ｖ程度に低減する。そのため、有機ＥＬパネル１０は、何ら対策を施さない従来の有機ＥＬパネル１００と比較して電食の進行を抑制することができる。
【００２４】
（効果）
以上、説明した一実施形態によれば、特に、以下の効果を奏する。
【００２５】
（１）有機ＥＬパネル用駆動装置５０は、有機ＥＬパネル１０を駆動する。有機ＥＬパネル１０は、陽極と陰極とで少なくも有機発光層を挟持してなる複数の有機ＥＬ素子（画素Ｅ１１〜Ｅｍｎ）と、前記陽極と接続される複数の陽極配線部（ドライブラインＤ１〜Ｄｎ）と、前記陰極と接続される１つ以上の陰極配線部（走査ラインＳ１〜Ｓｍ）と、を備える。有機ＥＬパネル用駆動装置５０は、前記陰極配線部のうち少なくとも１つをグランドＧＮＤに接続しつつ、前記複数の陽極配線部のうち点灯させる前記有機ＥＬ素子に対応する前記陽極配線部に電流を供給することで前記電流が供給される前記有機ＥＬ素子を点灯させる点灯処理を行い、かつ、少なくとも前記点灯処理中に、前記複数の陽極配線部のうち非点灯とする前記有機ＥＬ素子に対応する前記陽極配線部に前記有機ＥＬ素子の発光開始電圧Ｖｅに至らない電位が印加される期間（電流供給期間Ｔ３）だけ前記電流を供給する電食対策処理を行う。
この構成によれば、ドライブラインＤ１〜Ｄｎが受ける電界の電位を低減することができ、有機ＥＬパネル１０の電食耐久性を良好とすることができる。
【００２６】
（２）有機ＥＬパネル用駆動装置５０は、前記点灯処理及び前記電食対策処理においては、前記陽極配線部を定電流源Ａ１〜Ａｎに接続する。
この構成によれば、電食対策処理用に電源を新たに設ける必要がなく、より簡単な構成で有機ＥＬパネル１０の電食耐久性を良好とすることができる。
【００２７】
（３）有機ＥＬパネル用駆動装置５０は、前記点灯処理の前に、前記点灯処理において点灯させる前記有機ＥＬ素子に係る前記陽極配線部及び前記陰極配線部にプリチャージ電圧を印加するプリチャージ処理を行う。
この構成によれば、点灯させる画素Ｅ１１〜Ｅｍｎに予めプリチャージ電圧を印加しておくことで、点灯処理においてチャージに要する時間を低減することができ、迅速に画素Ｅ１１〜Ｅｍｎを所望の輝度で点灯させることができる。
【００２８】
（４）有機ＥＬ装置１は、前述した有機ＥＬパネル用駆動装置５０と、有機ＥＬパネル１０と、を備える。
この構成によれば、有機ＥＬ装置１において有機ＥＬパネル１０の電食耐久性を良好とすることができる。
【００２９】
（変形例）
なお、上記実施形態は、これを適宜変更した以下の形態にて実施することができる。
【００３０】
上記実施形態においては、前記点灯処理の開始とともに、非点灯とする画素Ｅ１２に対応するドライブラインＤ２への定電流の供給が開始されたが、非点灯とする画素Ｅ１２に対応するドライブラインＤ２への電流の供給は前記点灯処理前から開始されてもよい。
【００３１】
上記実施形態においては、ステップＳＴ１にてプリチャージが実行されていたが、このプリチャージは省略されてもよい。
【００３２】
上記実施形態においては、有機ＥＬパネル用駆動装置５０は、電流供給期間Ｔ３を調整することで画素Ｅ１１〜Ｅｍｎの輝度を調整していたが、これに限らず、定電流の値を調整することで画素Ｅ１１〜Ｅｍｎの輝度を調整してもよい。また、有機ＥＬパネル用駆動装置５０は、定電流の値及び電流供給期間Ｔ３の両方を調整することで画素Ｅ１１〜Ｅｍｎの輝度を調整してもよい。
【００３３】
以上では、有機ＥＬパネル１０がドットマトリクス型、かつパッシブ駆動方式の例を示したが、有機ＥＬパネル１０は、その電極はマトリクス形状のものでなくともよく、また、スタティック駆動方式であってもよい。また、上記実施形態においては、有機ＥＬ装置１は、表示装置であったが、これに限られない。本発明の有機ＥＬ装置は、発光装置や照明装置であってもよい。また、有機ＥＬパネル１０は、ＣＯＧ型パネルに限られない。有機ＥＬパネル用駆動装置５０を構成するＩＣチップをＦＰＣ（Flexible  printed  circuits）に実装したＣＯＦ（Chip  on  Film）型パネルや、プリント基板に実装したＣＯＢ（Chips  on  Board）型パネルであってもよい。配線と画素が形成された透光性を有する基板を備えるものであれば、パネルの種類は任意である。
【産業上の利用可能性】
【００３４】
本発明は、有機ＥＬパネル用駆動装置及び有機ＥＬ装置に好適である。
【符号の説明】
【００３５】
１  表示装置
１０  有機ＥＬパネル
２０  陰極駆動回路
３０  陽極駆動回路
４０  表示コントローラ
５０  有機ＥＬパネル用駆動装置
Ａ１〜Ａｎ  定電流源
Ｄ１〜Ｄｎ  ドライブライン（陽極配線部）
Ｅ１１〜Ｅｍｎ  画素（有機ＥＬ素子）
Ｓ１〜Ｓｍ  走査ライン（陰極配線部）
＋ＳＷ１〜＋ＳＷｎ  ドライブスイッチ
−ＳＷ１〜−ＳＷｍ  走査スイッチ
【図１】
2018091981.tif 000003
【図２】
2018091981.tif 000004
【図３】
2018091981.tif 000005
【図４】
2018091981.tif 000006
【図５】
2018091981.tif 000007
【図６】
2018091981.tif 000008
【図７】
2018091981.tif 000009
【図８】
2018091981.tif 000010